(57)【要約】【課題】  他住戸に出かけた状態でも、集合玄関機から自住戸への呼び出しが成されたら応答を可能とする。【解決手段】  個々の居室親機２に、ＩＰ変換アダプタ６、ＳＩＰサーバ７、無線ＬＡＮルータ８を介してＩＰ携帯端末５を接続して互いに通信を可能とし、制御機３に住戸ＩＤとＩＰ携帯端末のＩＤ情報とを関連付けたＩＤ対応テーブル記憶部２１を設け、ＩＰ変換アダプタ６に無線ＬＡＮルータ８の通信エリアに配置されたＩＰ携帯端末５のＩＤを記憶する通信可能端末記憶部２５を設け、ＳＩＰサーバ７に全ての住戸に設置されたＩＰ携帯端末５のＩＤを登録した端末ＩＤテーブル記憶部２６を設けた。制御機３において、集合玄関機１からの呼出信号に呼出対象のＩＰ携帯端末ＩＤの情報が付加され、居室親機２はこの呼出信号を受信したら、呼出先が自住戸に属するＩＰ携帯端末５の場合と属さないＩＰ携帯端末５の場合とで異なる呼出制御を行う構成とした。【選択図】  図１
2010154247.tif 000002
【特許請求の範囲】
【請求項１】
居住者を呼び出して通話するための集合玄関機と、前記集合玄関機からの呼び出しに応答するために個々の住戸に設置された居室親機と、前記集合玄関機と前記居室親機との間の通話を制御する制御機とを有する集合住宅インターホンシステムにおいて、
前記集合玄関機からの呼び出しに対してＩＰ通信により応答可能なＩＰ携帯端末が個々の住戸に配置されると共に、前記居室親機には、前記ＩＰ携帯端末と前記居室親機とがＩＰ通信を実施するためのＩＰ変換アダプタと、前記ＩＰ携帯端末と前記ＩＰ変換アダプタがＳＩＰにより通信するためのＳＩＰサーバと、前記ＩＰ携帯端末と前記ＳＩＰサーバが通信するための無線ルータとが接続され、
前記制御機は、前記集合玄関機からの呼出信号に付加されている住戸ＩＤ情報とＩＰ携帯端末のＩＤ情報とを関連付けたＩＤ対応テーブル記憶部を備える一方、
全ての住戸に設置されたＩＰ携帯端末のＩＤを登録した端末ＩＤテーブル記憶部と、
前記ＩＰ変換アダプタ、前記ＳＩＰサーバの何れかに、前記無線ルータの通信エリアに配置され、且つ前記端末ＩＤテーブル記憶部に登録された前記ＩＰ携帯端末ＩＤを記憶する通信可能端末記憶部とを備え、
更に前記居室親機は、自住戸に属するＩＰ携帯端末ＩＤを記憶する自住戸端末記憶部と、前記通信可能端末記憶部に記憶されているＩＰ携帯端末が、自住戸に属する端末かどうか識別して異なる呼出制御を行う親機制御部とを有し、
前記親機制御部は、前記制御機において前記ＩＤ対応テーブル記憶部の登録情報を基に呼出対象のＩＰ携帯端末ＩＤの情報が付加された呼出信号を受けたら、呼出先が自住戸に属するＩＰ携帯端末の場合と属さないＩＰ携帯端末の場合とで異なる呼出制御を行うことを特徴とする集合住宅インターホンシステム。
【請求項２】
前記親機制御部は、前記通信可能端末記憶部に記憶された前記ＩＰ携帯端末が前記自住戸端末記憶部に記憶されたＩＰ携帯端末である場合はマスタ端末として認識し、そうでない場合にはゲスト端末として認識し、
前記制御機から送信された呼出信号に付加されているＩＰ携帯端末ＩＤが、前記通信可能端末記憶部に記憶されていなければ、マスタ端末無しを通知する不在信号を前記制御機へ送信し、
前記制御機は、前記不在信号を受けたら他の全ての前記居室親機に対して呼出先のＩＰ携帯端末がゲスト端末として認識されていないか検索し、ゲスト端末として認識している居室親機に対して前記ＩＰ携帯端末を呼び出す呼出信号を送信する制御機呼出制御部を有することを特徴とする請求項１記載の集合住宅インターホンシステム。
【請求項３】
前記ＩＤ対応テーブル記憶部には、住戸ＩＤとその住戸に属するＩＰ携帯端末のＩＤを関連付けたマスタ端末の情報に加えて、自住戸に属さないが前記通信可能端末記憶部に記憶されているＩＰ携帯端末のＩＤとを関連付けたゲスト端末の情報が登録され、
前記制御機は、前記ＩＰ携帯端末の所在を定期的に検索して、或いは前記居室親機から通信可能端末記憶部の更新情報の送信を受けて、前記自住戸に属さないが前記通信可能端末記憶部に記憶されている前記ゲスト端末の情報を更新し、
前記集合玄関機から呼び出しが成されたら、呼出信号に付加された住戸ＩＤ情報に関連する居室親機に呼出信号を送信すると共に、前記ＩＤ対応テーブルに登録されたＩＰ携帯端末に対しても呼出信号を送信する制御機呼出制御部を有することを特徴とする請求項１記載の集合住宅インターホンシステム。
【請求項４】
前記親機制御部は、前記呼出信号がゲスト端末を呼び出す信号である場合、ゲスト端末呼び出し信号を受信した居室親機自身は呼出報音を行わない制御を実施することを特徴とする請求項２又は３記載の集合住宅インターホンシステム。
【請求項５】
前記制御機は、集合玄関の扉に設けられた電気錠を制御する電気錠制御部を有し、
前記親機制御部は、前記ゲスト端末と前記集合玄関機との間で通話路が形成されている場合に、当該ゲスト端末から前記電気錠を解錠させる電気錠制御信号が送信されたら、前記制御機に前記電気錠解錠信号を送信し、前記ゲスト端末から送信される他の制御信号は破棄する制御を行うことを特徴とする請求項４記載の集合住宅インターホンシステム。
【発明の詳細な説明】
【技術分野】
【０００１】
本発明は集合住宅インターホンシステムに関し、特に、居室親機と通信が可能なＩＰ携帯端末を備えて、集合玄関機からの呼び出しに対してＩＰ携帯端末からでも応答することができる集合住宅インターホンシステムに関する。
【背景技術】
【０００２】
従来の集合住宅インターホンシステムには、居室親機にサーバ、無線ルータ等を接続して、居室親機とＩＰ携帯端末との間で直接通信を可能とすることで、集合玄関機からの呼び出しに対して、居室親機からではなくＩＰ携帯端末から応答できるものがある。この場合、ＩＰ携帯端末を増設親機の如く使用でき且つ持ち歩くことができるため、居室親機の近くにいない場合であっても、ＩＰ携帯端末を携行していれば住戸内のどこからでも応答することができ、便利なものとなっている（例えば、特許文献１参照）。
【特許文献１】特開２００７−３１２２４２号公報
【発明の開示】
【発明が解決しようとする課題】
【０００３】
集合住宅では、各住戸に同様のインターホン機器が設置されるため、上記従来の集合住宅インターホンシステムでは、各住戸にサーバ、無線ルータ、ＩＰ携帯電話等が設置されて、同様の動作を行うが、ＩＰ携帯端末は通信電波が比較的弱いし、他住戸の居室親機とは通信が可能とはなっていない。そのため、ＩＰ携帯端末を携行しても、他住戸へ出かけた場合は集合玄関機から自住戸への呼び出しがあっても応答することができなかった。尚、他住戸とは集合住宅内で自宅以外の住戸を示し、自住戸とは自宅を示すものであり、以下同様である。
【０００４】
この不便さを解消するために、出かけた先の住戸の無線ルータ及び居室親機を介して携行しているＩＰ携帯端末と制御機との間で通信を可能として、他住戸からでも自住戸への呼び出しに対して応答を可能とする構成が考えられる。しかし、単純に他住戸からの応答を許可すると、他住戸の居室親機が動作してしまったり、他住戸への呼び出しに対して自身の携行するＩＰ携帯端末が呼出報音してしまう問題が考えられ、プライバシーを侵害する虞があった。
【０００５】
そこで、本発明はこのような問題点に鑑み、他住戸に出かけて自宅を留守にした状態でも、集合玄関機から自住戸への呼び出しが成されたら応答を可能とし、更に他住戸から自住戸への呼出に応答する場合に、他住戸のプライバシーを侵害するようなことのない集合住宅インターホンシステムを提供することを目的としている。
【課題を解決するための手段】
【０００６】
上記課題を解決する為に、請求項１の発明は、居住者を呼び出して通話するための集合玄関機と、集合玄関機からの呼び出しに応答するために個々の住戸に設置された居室親機と、集合玄関機と居室親機との間の通話を制御する制御機とを有する集合住宅インターホンシステムにおいて、集合玄関機からの呼び出しに対してＩＰ通信により応答可能なＩＰ携帯端末が個々の住戸に配置されると共に、居室親機には、ＩＰ携帯端末と居室親機とがＩＰ通信を実施するためのＩＰ変換アダプタと、ＩＰ携帯端末とＩＰ変換アダプタがＳＩＰにより通信するためのＳＩＰサーバと、ＩＰ携帯端末とＳＩＰサーバが通信するための無線ルータとが接続され、制御機は、集合玄関機からの呼出信号に付加されている住戸ＩＤ情報とＩＰ携帯端末のＩＤ情報とを関連付けたＩＤ対応テーブル記憶部を備える一方、全ての住戸に設置されたＩＰ携帯端末のＩＤを登録した端末ＩＤテーブル記憶部と、ＩＰ変換アダプタ、ＳＩＰサーバの何れかに、無線ルータの通信エリアに配置され、且つ端末ＩＤテーブル記憶部に登録されたＩＰ携帯端末ＩＤを記憶する通信可能端末記憶部とを備え、更に居室親機は、自住戸に属するＩＰ携帯端末ＩＤを記憶する自住戸端末記憶部と、通信可能端末記憶部に記憶されているＩＰ携帯端末が、自住戸に属する端末かどうか識別して異なる呼出制御を行う親機制御部とを有し、親機制御部は、制御機においてＩＤ対応テーブル記憶部の登録情報を基に呼出対象のＩＰ携帯端末ＩＤの情報が付加された呼出信号を受けたら、呼出先が自住戸に属するＩＰ携帯端末の場合と属さないＩＰ携帯端末の場合とで異なる呼出制御を行うことを特徴とする。
【０００７】
この構成によれば、集合玄関機から呼び出しを受けた住戸の居室親機とＩＰ携帯端末の双方に呼び出しが通知されるので、居住者は来訪者があることを認識し易い。そして、居住者が自身のＩＰ携帯端末を持って集合住宅内の他住戸に出かけた場合には、その出かけた先の居室親機を介して携行しているＩＰ携帯端末に呼び出しを通知させることが可能となる。また、その場合には、自住戸内での呼び出しとは異なる呼出制御が行われる。即ち、他住戸において自身の携行するＩＰ携帯端末が呼び出される場合は、その他住戸の居室親機を呼出動作させない等の異なる呼出制御が可能であり、他住戸の住人に迷惑を掛けないようにできるし、自宅を留守にしても来訪者に対して応答することが可能となる。
【０００８】
請求項２の発明は、請求項１に記載の発明において、親機制御部は、通信可能端末記憶部に記憶されたＩＰ携帯端末が自住戸端末記憶部に記憶されたＩＰ携帯端末である場合はマスタ端末として認識し、そうでない場合にはゲスト端末として認識し、制御機から送信された呼出信号に付加されているＩＰ携帯端末ＩＤが、通信可能端末記憶部に記憶されていなければ、マスタ端末無しを通知する不在信号を制御機へ送信し、制御機は、不在信号を受けたら他の全ての居室親機に対して呼出先のＩＰ携帯端末がゲスト端末として認識されていないか検索し、ゲスト端末として認識している居室親機に対してＩＰ携帯端末を呼び出す呼出信号を送信する制御機呼出制御部を有することを特徴とする。
【０００９】
この構成によれば、最初の呼び出しは呼出先の居室親機とその住戸内のＩＰ携帯端末に対して呼び出しを行う。そして、応答がなくマスタ端末としてのＩＰ携帯端末が認識できない場合には、ゲスト端末としての所在を検索して、ゲスト端末として認識している他住戸の居室親機に対してＩＰ携帯端末（ゲスト端末）を呼び出す制御を実施する。そのため、出かけた先の他住戸からでも呼び出しに応答できるし、ゲスト端末として認識している居室親機に対してのみ端末呼出信号が送信されるので通信負荷を軽減することができる。
また、マスタ端末として認識されない限り、出かけた先の他住戸への呼び出しを受けて自己のＩＰ携帯端末が呼出動作する事が無く、他住戸のプライバシーを維持することができる。
【００１０】
請求項３の発明は、請求項１に記載の発明において、ＩＤ対応テーブル記憶部には、住戸ＩＤとその住戸に属するＩＰ携帯端末のＩＤを関連付けたマスタ端末の情報に加えて、自住戸に属さないが通信可能端末記憶部に記憶されているＩＰ携帯端末のＩＤとを関連付けたゲスト端末の情報が登録され、制御機は、ＩＰ携帯端末の所在を定期的に検索して、或いは居室親機から通信可能端末記憶部の更新情報の送信を受けて、自住戸に属さないが通信可能端末記憶部に記憶されているゲスト端末の情報を更新し、集合玄関機から呼び出しが成されたら、呼出信号に付加された住戸ＩＤ情報に関連する居室親機に呼出信号を送信すると共に、ＩＤ対応テーブルに登録されたＩＰ携帯端末に対しても呼出信号を送信する制御機呼出制御部を有することを特徴とする。
この構成によれば、制御機がＩＰ携帯端末の所在情報を持っているので、集合玄関機からの呼び出しは、自住戸の居室親機、及び呼出時に通信が可能な状態にある住戸の居室親機を介してＩＰ携帯端末に１回の通信で速やかに通知することができる。よって、呼出先の居住者が自住戸に居なくても呼び出しに速やかに応答することができる。
【００１１】
請求項４の発明は、請求項２又は３に記載の発明において、親機制御部は、呼出信号がゲスト端末を呼び出す信号である場合、ゲスト端末呼び出し信号を受信した居室親機自身は呼出報音を行わない制御を実施することを特徴とする。
この構成によれば、呼出信号がゲスト端末への呼出信号であることを認識した居室親機は、呼出信号をＩＰ携帯端末に送信するが、居室親機自身は報音等の呼出動作を行わない。そのため、他住戸の居住者に迷惑を掛けることなく呼び出しに応答することができる。
【００１２】
請求項５の発明は、請求項４に記載の発明において、制御機は、集合玄関の扉に設けられた電気錠を制御する電気錠制御部を有し、
親機制御部は、ゲスト端末と集合玄関機との間で通話路が形成されている場合に、当該ゲスト端末から電気錠を解錠させる電気錠制御信号が送信されたら、制御機に電気錠解錠信号を送信し、ゲスト端末から送信される他の制御信号は破棄する制御を行うことを特徴とする。
この構成によれば、ゲスト端末として居室親機に認識されている場合は、通話時の解錠操作以外の制御信号は受け付けないので、通常はＩＰ携帯端末を操作して実施できる居室親機の各種操作を行うことはできない。よって、他住戸のプライバシー及びセキュリティを維持することができる。
【発明の効果】
【００１３】
本発明によれば、居住者が自身のＩＰ携帯端末を持って集合住宅内の他住戸に出かけた場合には、その出かけた先の居室親機を介して携行しているＩＰ携帯端末に呼び出しを通知させることができ、自宅を留守にしても来訪者に対して応答することが可能となる。そして、その場合には、他住戸の居室親機を呼出動作させない等の制御ができ、他住戸の住人に迷惑を掛けないようにできる。
また、マスタ端末として認識されない限り、出かけた先の他住戸への呼び出しを受けて自己のＩＰ携帯端末が呼出動作する事が無いし、ＩＰ携帯端末を操作して他住戸の居室親機の各種操作を行うことはできない。よって、他住戸のプライバシー及びセキュリティを維持することができる。
【発明を実施するための最良の形態】
【００１４】
以下、本発明を具体化した実施の形態を、図面に基づいて詳細に説明する。図１は、本発明に係る集合住宅インターホンシステムの一例を示す構成図であり、１は来訪者が居住者を呼び出す機能を備えた集合玄関機、２は集合玄関機１からの呼び出しに応答する機能を備えた居室親機、３は集合玄関機１と居室親機２との間の通信を制御する制御機、４は集合玄関の扉に設けられた電気錠、５は集合玄関機１からの呼び出しに対してＩＰ通信により応答するためのＩＰ携帯端末（以下、単に「携帯端末」と称する。）、６は居室親機２と携帯端末５間でＩＰ通信を実施するためのＩＰ変換アダプタ、７は携帯端末５とＩＰ変換アダプタ６がＳＩＰによりパケット通信するためのＳＩＰサーバ、８は携帯端末５とＳＩＰサーバ７が通信するための無線ＬＡＮルータである。
【００１５】
ＩＰ変換アダプタ６、ＳＩＰサーバ７、無線ＬＡＮルータ８は、居室親機２と同様に各住戸に設置され、ＩＰ変換アダプタ６は居室親機２に伝送線Ｌ１を介して接続され、ＩＰ変換アダプタ６、ＳＩＰサーバ７、無線ＬＡＮルータ８間はＬＡＮ回線Ｌ２，Ｌ３により接続されている。また、集合玄関機１は伝送線Ｌ４を介して制御機３に接続され、居室親機２は親機幹線Ｌ５を介して制御機３に接続され、電気錠４は伝送線Ｌ６を介して制御機３に接続されている。尚、ＩＰはＩｎｔｅｒｎｅｔ  Ｐｒｏｔｏｃｏｌの略であり、ＳＩＰはＳｅｓｓｉｏｎ  Ｉｎｉｔｉａｔｉｏｎ  Ｐｒｏｔｏｃｏｌの略である。
【００１６】
集合玄関機１は、来訪者を撮像するカメラ１１、住戸を選択して呼出操作等する操作部１２、通話部等を備えている。居室親機２は、カメラ１１が撮像した映像を表示するモニタ１５、各種操作を行う操作部１６、応答操作する通話ボタン１７、自住戸に属する携帯端末５のＩＤを記憶する自住戸端末記憶部１８、呼び出す携帯端末５の種類を認識して呼出制御をする親機制御部１９等を備えている。
また、制御機３は、住戸ＩＤと携帯端末ＩＤを関連付けて記憶したＩＤ対応テーブル記憶部２１、このＩＤ対応テーブルを参照して居室親機２に加えて携帯端末５を呼出制御する制御機呼出制御部としての制御部２２を備えている。携帯端末５は、文字情報や映像を表示する表示部２３やテンキー等を備えた操作部２４を備えている。そして、ＩＰ変換アダプタ６は、無線ＬＡＮルータ８の通信エリアにある携帯端末５のＩＤを記憶する通信可能端末記憶部２５を備えている。ＳＩＰサーバ７は、全ての住戸に設置された携帯端末５のＩＤを登録した端末ＩＤテーブル記憶部２６を備えている。
【００１７】
ＩＤ対応テーブル記憶部２１のＩＤ対応テーブルは、表１に示すように住戸ＩＤに携帯端末ＩＤが関連付けられて記憶されている。例えば、５０１号住戸（住戸ＩＤ＝５０１）にＩＤ＝００１の携帯端末が関連付けられ、５０２号住戸（居室ＩＤ＝５０２）にはＩＤ＝００２の携帯端末が関連付けられている。同様に各住戸に対して携帯端末５の関連付けが成されて記憶されている。尚、各住戸に関連付けられる携帯端末５は１つでなく複数であってもよい。
【００１８】
【表１】
2010154247.tif 000003
【００１９】
自住戸端末記憶部１８には、初期化時に制御機３のＩＤ対応テーブル記憶部２１から自住戸の情報を取得して記憶が成される。例えば、５０１号住戸であれば住戸ＩＤ＝５０１、携帯端末ＩＤ＝００１の情報が後述するマスタ端末として記憶される。また、ＳＩＰサーバ７の端末ＩＤテーブル記憶部２６も同様に、初期化時に制御機３のＩＤ対応テーブルから全ての携帯端末ＩＤ情報が取得されて記憶される。
【００２０】
このような構成の集合住宅インターホンシステムにおいて、以下、呼出／応答動作を説明する。但し、呼出制御に先立ち、ＳＩＰサーバ７は、無線ＬＡＮルータ８を介して定期的に携帯端末５との通信を行い、端末ＩＤテーブル記憶部２６に登録されている携帯端末５の中で、無線ＬＡＮルータ８の通信エリアにあって通信が可能な携帯端末５のＩＤ情報を入手する。この情報はＩＰ変換アダプタ６に通知され、通信可能端末記憶部２５に記憶される。
また、居室親機２の親機制御部１９は、この通信可能端末記憶部２５に記憶された携帯端末５のＩＤと比較して、自住戸端末記憶部１６と一致するＩＤの携帯端末５をマスタ端末として認識し、他住戸に属する携帯端末をゲスト端末として認識する。
【００２１】
こうして各種情報が設定された状態で、最初に呼出先の居住者が自宅におり、携帯端末５がマスタ端末として自住戸内にある場合の呼出動作の流れを説明する。図２は集合玄関機１が操作されて居住者を呼び出す基本動作の流れを示すシーケンス図を示し、この図に基づいて説明する。
来訪者が集合玄関機１を操作し、例えば５０１号住戸の居住者を呼び出すと、呼出信号（Ｓ１）が制御機３に送信される。制御機３はこの呼出信号を受けて、制御部２２により５０１号住戸の居室親機２に対して、ＩＤ対応テーブル記憶部２１を参照して関連する携帯端末ＩＤ（ＩＤ＝００１）を付加した呼出信号（Ｓ２）が居室親機２へ送信される。
【００２２】
この呼出信号を受信した５０１号住戸の居室親機２は、親機制御部１９が自住戸への呼び出しであることを認識して、呼出音を鳴動させて居住者に呼び出しを通知する。また、親機制御部１９は、マスタ端末として認識している携帯端末５に対して呼出信号（Ｓ３）を送信する。呼出信号は、ＩＰ変換アダプタ６によりＩＰに基づくＳＩＰ信号が生成され、更にＳＩＰサーバ７によりパケット化されたＳＩＰコマンド（Ｓ４）に変換され、無線ＬＡＮルータ８を介して携帯端末５に送信される。こうして、携帯端末５に呼出信号が送信され、携帯端末５は呼出通知動作する。
【００２３】
この呼出音或いは呼出通知動作を受けて、居住者は居室親機２或いは携帯端末５の何れかで応答することができ、所定の応答操作により集合玄関機１との間で通話路が形成され、来訪者と通話することができる。例えば携帯端末５から応答操作すると、応答信号が無線ＬＡＮルータ８、ＳＩＰサーバ７、ＩＰ変換アダプタ６、居室親機２を介して制御機３に伝送される。応答信号を受けた制御機３は、集合玄関機１と５０２号住戸の居室親機２を介した携帯端末５との間の通話路を形成する制御を行う。こうして通話路が形成されて通話が可能となる。更に、通話終了後は携帯端末５を終話操作することで、通話路は遮断され、各機器は待受状態に戻る。
【００２４】
尚、集合玄関機１が操作されて呼出信号が送出されたら、カメラ１１が起動して撮像した映像信号も合わせて送出され、呼出先の居室親機２の呼出動作に並行してモニタ１５に映像が表示される。また、携帯端末５に対しても呼出信号に合わせ映像信号が送信され、呼出動作に並行して表示部２３に映像が表示される。以下、他の呼出動作においても同様であり、呼出信号に合わせて映像信号も送信される。
【００２５】
次に、呼出対象の居住者が携帯端末５を携行して他住戸へ出かけた場合の呼び出し動作の流れを、図３のシーケンス図に基づいて説明する。
今、５０１号住戸の居住者が携帯端末（ＩＤ＝００１）５を持って、例えば５０２号住戸に出かけたとする。この状態において、来訪者が５０１号住戸を集合玄関機１を操作して呼び出すと、呼出信号（Ｓ１１）が制御機３に送信され、制御機３は携帯端末５のＩＤ情報（ＩＤ＝００１）を付加した呼出信号（Ｓ１２）を５０１号住戸の居室親機２に送信する。居室親機２は、呼出信号を受けて呼出音を報音する。しかし、５０１号住戸に属する携帯端末５が無線ＬＡＮルータ８の通信エリア内に無いため（通信可能端末記憶部２５にマスタ端末が登録されていないため）、居室親機２はＩＰ変換アダプタ６からマスタ端末無しの情報を入手しており、親機制御部１９により携帯端末５を呼び出すことができないことを通知する不在信号（Ｓ１３）が制御機３に送信される。
【００２６】
この不在信号を受けた制御機３は、呼出先住戸の携帯端末（ＩＤ＝００１）５がどの住戸にあるかを検索する検索信号（Ｓ１４）を全ての居室親機２に対して送信する。この時点で、５０２号住戸の居室親機２はゲスト端末としてＩＤ＝００１の携帯端末５を認識しており、検索信号を受けた居室親機２では、親機制御部１９によりゲスト端末として認識していることを通知する認識信号（Ｓ１５）が制御機３に返信される。
【００２７】
尚、５０２号住戸の無線ＬＡＮルータ８は、ＳＩＰサーバの制御により、訪問してきた５０１号住戸の居住者が携行している携帯端末５が通信エリアに入った段階で、それを認識して通信を実施し、その存在をＳＩＰサーバ７に通知する。そして、ＳＩＰサーバ７は、この携帯端末５のＩＤ（ＩＤ＝００１）を端末ＩＤテーブル記憶部２６を参照し、通信を許可した携帯端末５であることを認識したらＩＰ変換アダプタ６に通知し、ＩＰ変換アダプタ６は、この携帯端末ＩＤを通信可能端末記憶部２５に記憶する。
こうして、親機制御部１９は、自住戸端末記憶部１８にないＩＤ＝００１の携帯端末５がゲスト端末であること、且つ現在通信可能であることを認識する。
【００２８】
認識信号の返信を受けた制御機３は、５０２号住戸の居室親機２に対してゲスト端末を呼び出すための呼出信号（Ｓ１６）を送信する。５０２号住戸の居室親機２は、親機制御部１９が、呼出信号に付加されている携帯端末ＩＤ情報を読み取って、ゲスト端末呼出信号であることを認識したら、居室親機２においては呼出報知動作を行わず、ゲスト端末であるＩＤ＝００１の携帯端末５を呼び出す呼出信号（Ｓ１７）をＩＰ変換アダプタ６に送信する。
この呼出信号は、ＩＰ変換アダプタ６においてＩＰに基づくＳＩＰ信号が生成され、更にＳＩＰサーバ７においてＳＩＰコマンド（Ｓ１８）に変換されてＩＤ＝００１の携帯端末５に送信される。
【００２９】
この呼出制御により、ＩＤ＝００１の携帯端末５は呼出通知動作し、応答操作が成されると、集合玄関機１との間で通話路が形成される。こうして、来訪者と５０１号住戸の居住者の間で通話することができる（詳述せず）。
【００３０】
また、ゲスト端末として通話中の携帯端末５から、集合玄関扉の電気錠４を解錠することができる。具体的に、集合玄関機１とゲスト端末としての携帯端末５の間で通話路が形成された状態で、所定の操作、例えば操作部２４の設けられたテンキーの「♯」ボタンを押す等の操作が成されると、携帯端末５から解錠通知信号が送信される。親機制御部１９は、通話路形成中にこの解錠通知信号を受信したら、応答信号と同様に制御機３に送信する。解錠通知信号を受けた制御機３は、電気錠４に対して解錠信号を出力する。
【００３１】
尚、通話路が形成されていなければ、携帯端末５から解錠通知操作しても親機制御部１９はその信号を受け付けず、解錠通知信号を制御機３に送信しない。更に、親機制御部１９は、ゲスト端末から送信される信号に対しては、基本的にそれを受け付けることが無く、各種制御信号が送信されても上述した条件での解錠通知信号以外の信号は破棄する。但し、マスタ端末として認識している携帯端末５からの各種制御信号、例えばカメラ１１を起動させるモニタ操作信号等は受け付け、増設親機の如く使用することが可能となっている。
【００３２】
このように、集合玄関機から呼び出しを受けた住戸の居室親機とＩＰ携帯端末の双方に呼び出しが通知されるので、居住者は来訪者があることを認識し易い。そして、居住者が自身のＩＰ携帯端末を持って集合住宅内の他住戸に出かけた場合には、その出かけた先の居室親機を介して携行しているＩＰ携帯端末に呼び出しを通知させることができ、自宅を留守にしても来訪者に対して応答することが可能となる。
また、その場合には、自住戸内での呼び出しとは異なる呼出制御が行われ、具体的に呼出信号がゲスト端末への呼出信号であることを認識した居室親機は、呼出信号をＩＰ携帯端末に送信するが、居室親機自身は報音等の呼出動作を行わないため、他住戸の居住者に迷惑を掛けることなく呼び出しに応答することができる。
更に、最初の呼び出しは、呼出先の居室親機とその住戸内のＩＰ携帯端末に対して呼び出しを行い、その後、応答がなくマスタ端末としてのＩＰ携帯端末が認識できない場合には、ゲスト端末としての所在を検索して、ゲスト端末として認識している他住戸の居室親機に対してＩＰ携帯端末（ゲスト端末）を呼び出す制御を実施するので、ゲスト端末として認識している居室親機に対してのみ端末呼出信号が送信され、通信負荷を軽減することができる。
そして、マスタ端末として認識されない限り、出かけた先の他住戸への呼び出しを受けて自己のＩＰ携帯端末が呼出動作する事が無く、他住戸のプライバシーを維持することができるし、ゲスト端末として居室親機に認識されている場合は、通話時の解錠操作以外の制御信号は受け付けないので、通常はＩＰ携帯端末を操作して実施できる居室親機の各種操作を行うことはできない。よって、他住戸のプライバシー及びセキュリティを維持することができる。
【００３３】
次に、本発明の他の実施形態を説明する。上記実施形態では、制御機３に設けたＩＤ対応テーブル記憶部２１において、住戸ＩＤとその住戸に属する携帯端末（マスタ端末）とを関連付けた「住戸ＩＤ−マスタ端末ＩＤテーブル」を登録して記憶させているが、これに加えて、ゲスト端末も住戸ＩＤに関連付けした「住戸ＩＤ−ゲスト端末ＩＤテーブル」を作成して登録させても良い。尚、この「住戸ＩＤ−ゲスト端末ＩＤテーブル」の情報は、ＩＰ変換アダプタ６の通信可能端末記憶部２５の情報を居室親機２から入手し、絶えず更新される。
【００３４】
こうして、住戸ＩＤ−ゲスト端末ＩＤテーブルを記憶したＩＤ対応テーブル記憶部２１を制御機３が備えることで、集合玄関機１からの呼出操作に対して、携帯端末５の呼び出しを次のように行うことができる。
先ず、呼出先の居住者が自住戸に居る場合の呼び出しの流れを図４のシーケンス図に基づいて説明する。来訪者が、例えば５０１号住戸を集合玄関機１を操作して呼び出すと、呼出信号（Ｓ２１）が制御機３に送信される。制御機３は、制御部２２の制御により、５０１号住戸の居室親機２に対して呼出信号（Ｓ２２）を送信すると同時に、ＩＤ＝００１の携帯端末５に対して呼出信号（Ｓ２３）を送信する。
この呼出信号（Ｓ２２）は、ＳＩＰサーバ７においてＳＩＰコマンド（Ｓ２４）に変換されて携帯端末５に送信され、呼び出された居室親機２、及び携帯端末５は報音等の呼出通知動作をする。この呼び出しを受けての応答操作は上述した通りである。
【００３５】
尚、この場合は、居室親機２に対する呼出信号とマスタ端末を呼び出す呼出信号は独立して送信されるが、上記図２に示すように、居室親機２への呼出信号に携帯端末のＩＤを付加して送信しても良い。
【００３６】
一方、呼出先の居住者が他住戸に居る場合の呼び出しの流れを図５のシーケンス図に基づいて説明する。来訪者が、例えば５０１号住戸を呼び出すと、呼出信号（Ｓ３１）が制御機に送信される。この時、呼出先の５０１号住戸の住人が、例えば５０２号住戸に居る場合は、制御部２２はＩＤ対応テーブル記憶部２１を参照してそれを認識し、５０１号住戸の居室親機２に対して呼出信号（Ｓ３２）を送信する。同時に、ＩＤ＝００１の携帯端末５がゲスト端末として認識されている５０２号住戸（住戸ＩＤ＝５０２）に対してＩＤ＝００１の携帯端末５を呼び出す呼出信号（Ｓ３３）を送信する。
【００３７】
呼出信号を受けた５０１号住戸の居室親機２は、呼出報音動作を行う。一方、ゲスト端末の呼出信号を受けた５０２号住戸の居室親機２は、呼出報音等を実施せず、呼出信号（Ｓ３４）をＳＩＰサーバ７に送信する。この呼出信号は、ＳＩＰサーバ７からＳＩＰコマンド（Ｓ３５）に変換されてゲスト端末であるＩＤ＝００１の携帯端末５に送信され、携帯端末５が呼出通知動作する。こうして、他住戸に出かけても、携帯端末５により来訪者からの呼び出しが通知されて、応答操作すれば来訪者と通話することができる。
【００３８】
このように、制御機がＩＰ携帯端末の所在情報を持っている場合は、集合玄関機１からの呼び出しは、自住戸の居室親機２、及び呼出時に通信が可能な状態にある住戸の居室親機２を介してＩＰ携帯端末５に１回の通信で速やかに通知することができる。よって、呼出先の居住者が自住戸に居なくても呼び出しに速やかに応答することができる。
【００３９】
尚、上記実施形態では、通信可能端末記憶部２５をＩＰ変換アダプタ６に設け、端末ＩＤテーブル記憶部２６をＳＩＰサーバ７に設けているが、これらの記憶部はＩＰ変換アダプタ６、ＳＩＰサーバ７の何れに設けても良い。また、ＩＰ変換アダプタ６とＳＩＰサーバ７は独立して設けているが一体としても良いし、無線ＬＡＮルータ８も合わせて一体に構成しても良い。
【図面の簡単な説明】
【００４０】
【図１】本発明に係る集合住宅インターホンシステムの実施形態の一例を示す構成図である。
【図２】来訪者が在宅の居住者を呼び出す場合のシーケンス図である。
【図３】来訪者が他住戸に出かけて自宅に不在の居住者を呼び出すシーケンス図である。
【図４】来訪者が在宅の居住者を呼び出す他の例を示すシーケンス図である。
【図５】来訪者が他住戸に出かけて自宅に不在の居住者を呼び出す他の例を示すシーケンス図である。
【符号の説明】
【００４１】
１・・集合玄関機、２・・居室親機、３・・制御機、４・・電気錠、５・・ＩＰ携帯端末、６・・ＩＰ変換アダプタ、７・・ＳＩＰサーバ、８・・無線ＬＡＮルータ（無線ルータ）、１８・・自住戸端末記憶部、１９・・親機制御部、２１・・ＩＤ対応テーブル記憶部、２２・・制御部（制御機呼出制御部、電気錠制御部）、２５・・通信可能端末記憶部、２６・・端末ＩＤテーブル記憶部。
【図１】
2010154247.tif 000004
【図２】
2010154247.tif 000005
【図３】
2010154247.tif 000006
【図４】
2010154247.tif 000007
【図５】
2010154247.tif 000008